(57)【要約】【課題】  カラープリンタでは再現できない色について明確に認識可能とする印刷用ドラフト作成方法を提供する。【解決手段】  色変換装置１００の色演算装置１０１に対してある特定の印刷機による印刷用の色情報を入力し、この色の入力情報から、色変換テーブル記憶部１０２、１０３の色変換テーブルで印刷機での変換色を算出し、その変換色と色再現情報記憶部１０５から得たカラープリンタにおける色再現情報を、色再現比較装置１０４によって比較判定し、同じ明度、色相の最大彩度情報を取得する。これを印刷機での変換色の彩度と比較し、印刷機での変換色の彩度より小さければカラープリンタでは近似不能と判断し、指定色の情報で色演算装置１０１の演算結果を上書きし、当該色以外の色については印刷機の全色を近似し、当該色については特定色で印刷する。【選択図】        図２
2006041730.tif 000002
【特許請求の範囲】
【請求項１】
ある特定の印刷機による出力のドラフトを、色変換を行ってカラープリンタにより色を近似させて作成する印刷用ドラフト作成方法であって、前記特定の印刷機での印刷用の色情報と、前記カラープリンタの色再現情報とを比較し、両者の色再現範囲の違いにより近似できない色については、特定色に変換して前記カラープリンタにより出力させることを特徴とする印刷用ドラフト作成方法。
【請求項２】
請求項１に記載の印刷用ドラフト作成方法において、前記特定色を複数の色から選択することを特徴とする印刷用ドラフト作成方法。
【請求項３】
請求項１または２に記載の印刷用ドラフト作成方法において、前記近似できない色を前記特定色を用いて出力することと、前記近似できない色を該色に近い色を用いて出力することを切り替え得ることを特徴とする印刷用ドラフト作成方法。
【請求項４】
ある特定の印刷機による出力のドラフトを、色変換を行ってカラープリンタにより色を近似させて作成する印刷用ドラフト作成方法であって、前記印刷機で用いる用紙の色と、前記カラープリンタで用いる用紙の色とを、予め用意しておいた前記印刷機の色特性を考慮した色変換テーブルを用いて前記紙の色の差分も含めた色変換を行うことを特徴とする印刷用ドラフト作成方法。
【請求項５】
請求項４に記載の印刷用ドラフト作成方法において、前記色変換の結果により色再現情報を作成することを特徴とする印刷用ドラフト作成方法。
【請求項６】
請求項５に記載の印刷用ドラフト作成方法において、前記色再現情報を比較し、色再現上の違いで近似のできない色については特定色に変換して出力することを特徴とする印刷用ドラフト作成方法。
【請求項７】
請求項６に記載の印刷用ドラフト作成方法において、前記特定色を複数の色から選択することを特徴とする印刷用ドラフト作成方法。
【請求項８】
請求項６または７に記載の印刷用ドラフト作成方法において、前記近似できない色を前記特定色を用いて出力することと、前記近似できない色を該色に近い色を用いて出力することを切り替え得ることを特徴とする印刷用ドラフト作成方法。
【請求項９】
ある特定の印刷機による出力のドラフトを、色変換を行って色を近似させて作成する印刷用ドラフト作成に用いるカラープリンタであって、前記特定の印刷機での印刷用の色情報と、該カラープリンタの色再現情報とを比較する手段と、両者の色再現範囲の違いにより近似できない色については、特定色に変換して出力する手段とを有することを特徴とするカラープリンタ。
【請求項１０】
請求項９に記載のカラープリンタにおいて、前記特定色を複数の色から選択する手段を有することを特徴とするカラープリンタ。
【請求項１１】
請求項９または１０に記載のカラープリンタにおいて、前記近似できない色を前記特定色を用いて出力することと、前記近似できない色を該色に近い色を用いて出力することを切り替え得る切り替え手段を有することを特徴とするカラープリンタ。
【請求項１２】
ある特定の印刷機による出力のドラフトを、色変換を行って色を近似させて作成する印刷用ドラフト作成に用いるカラープリンタであって、前記印刷機で用いる用紙の色と、該カラープリンタで用いる用紙の色とを、予め用意しておいた前記印刷機の色特性を考慮した色変換テーブルを用いて前記紙の色の差分も含めた色変換を行う手段を有することを特徴とするカラープリンタ。
【請求項１３】
請求項１２に記載のカラープリンタにおいて、前記色変換の結果により色再現情報を作成する手段を有することを特徴とするカラープリンタ。
【請求項１４】
請求項１３に記載のカラープリンタにおいて、前記色再現情報を比較し、色再現上の違いで近似のできない色については特定色に変換して出力する手段を有することを特徴とするカラープリンタ。
【請求項１５】
請求項１４に記載のカラープリンタにおいて、前記特定色を複数の色から選択する手段を有することを特徴とするカラープリンタ。
【請求項１６】
請求項１４または１５のカラープリンタにおいて、前記近似できない色を前記特定色を用いて出力することと、前記近似できない色を該色に近い色を用いて出力することを切り替える手段を有することを特徴とするカラープリンタ。
【請求項１７】
ある特定の印刷機による出力のドラフトを、色変換を行ってカラープリンタにより色を近似させて作成する印刷用ドラフト作成用のプリントシステムであって、前記特定の印刷機での印刷用の色情報と、該カラープリンタの色再現情報とを比較する手段と、両者の色再現範囲の違いにより近似できない色については、特定色に変換して出力する手段とを有することを特徴とする印刷用ドラフト作成用のプリントシステム。
【請求項１８】
請求項１７に記載の印刷用ドラフト作成用のプリントシステムにおいて、前記特定色を複数の色から選択する手段を有することを特徴とする印刷用ドラフト作成用のプリントシステム。
【請求項１９】
請求項１７または１８に記載の印刷用ドラフト作成用のプリントシステムにおいて、前記近似できない色を前記特定色を用いて出力することと、前記近似できない色を該色に近い色を用いて出力することを切り替え得る切り替え手段を有することを特徴とする印刷用ドラフト作成用のプリントシステム。
【請求項２０】
ある特定の印刷機による出力のドラフトを、色変換を行って色を近似させて作成する印刷用ドラフト作成に用いる印刷用ドラフト作成用のプリントシステムであって、前記印刷機で用いる用紙の色と、該カラープリンタで用いる用紙の色とを、予め用意しておいた前記印刷機の色特性を考慮した色変換テーブルを用いて前記紙の色の差分も含めた色変換を行う手段を有することを特徴とする印刷用ドラフト作成用のプリントシステム。
【請求項２１】
請求項２０に記載の印刷用ドラフト作成用のプリントシステムにおいて、前記色変換の結果により色再現情報を作成する手段を有することを特徴とする印刷用ドラフト作成用のプリントシステム。
【請求項２２】
請求項２１に記載の印刷用ドラフト作成用のプリントシステムにおいて、前記色再現情報を比較し、色再現上の違いで近似のできない色については特定色に変換して出力する手段を有することを特徴とする印刷用ドラフト作成用のプリントシステム。
【請求項２３】
請求項２２に記載の印刷用ドラフト作成用のプリントシステムにおいて、前記特定色を複数の色から選択する手段を有することを特徴とする印刷用ドラフト作成用のプリントシステム。
【請求項２４】
請求項２２または２３に記載の印刷用ドラフト作成用のプリントシステムにおいて、前記近似できない色を前記特定色を用いて出力することと、前記近似できない色を該色に近い色を用いて出力することを切り替える手段を有することを特徴とする印刷用ドラフト作成用のプリントシステム。
【請求項２５】
請求項１ないし８のいずれかに記載の印刷用ドラフト作成方法を実行する処理ステップからなることを特徴とする画像処理プログラム。
【請求項２６】
請求項２５に記載のプログラムを記憶してあり、コンピュータで読み取り可能な記録媒体。
【発明の詳細な説明】
【技術分野】
【０００１】
本発明は、印刷機での印刷結果をカラープリンタにおいて出力してドラフトとする場合の印刷用ドラフト作成方法、これを実行可能なカラープリンタ、プリントシステム、プリントプログラム、これを記録した媒体に関する。
【背景技術】
【０００２】
印刷機のドラフト作成にカラープリンタを用いることが増えている。例えばカラー印刷機による印刷用の本来の用紙を用いてカラー印刷物を作成する前に、校正のためのカラー画像をプリントしたカラー印刷プルーフをカラープリンタにより作成する場合が増えている。印刷機のように製版フイルムや刷版等の作成が不要で、短時間に複数回、しかも容易にシート上にカラー画像をハードコピー、すなわちドラフトとして作成でき、便利なためである（例えば特許文献１参照）。
【０００３】
このような用途に用いるカラープリンタとしては、種々公知のものを用いることができるが、カラーインクジェットプリンタを用いることが多い。カラーインクジェットプリンタは、現在もっとも使用者の身近にあるカラープリンタと言え、プリントサイズについても、小さいものはハガキ大の大きさから、大きいものではＡ０、Ｂ０あるいはそれ以上のサイズにまで幅広く対応していることから広く用いられるようになってきている。
【０００４】
ところで、このような印刷プルーフを作成する場合、印刷機の色をカラーインクジェットプリンタ等のカラープリンタが精度よく再現できることがもっとも好ましいが、印刷機による色再現範囲とカラープリンタの色再現範囲とは異なるため、カラープリンタで印刷して得るドラフトでは、すべての色について再現ができないケースも多い。
【０００５】
すなわち、色特性によってカラープリンタと印刷機の色再現範囲が異なる場合が多く、その場合は印刷機では再現できてもカラープリンタでは物理的に再現不可能な色が存在することがある。
【０００６】
このような場合、一般的にはカラープリンタで再現できない範囲をガマットマッピング（色再現域のマッピング）により対処するなどしている。
【特許文献１】特開平０９−１１６７６７号公報
【発明の開示】
【発明が解決しようとする課題】
【０００７】
しかしながら本願発明者は、画像上でどの色が再現されていないものなのか知ること、あるいは知り得るようにすることがドラフトとしては重要であるとの観点に立つとき、上述のような従来の手法で得るドラフトは、カラー印刷の印刷プルーフとしては不十分であることに思い至った。
【０００８】
そこで本発明は、カラープリンタでは再現できない色について明確に認識可能とする印刷用ドラフト作成方法、その実施に使用するカラープリンタ、プリントシステム、プリントプログラム、これを記録した媒体を提供することを目的とする。
【課題を解決するための手段】
【０００９】
本発明の請求項１に係る印刷用ドラフト作成方法は、ある特定の印刷機による出力のドラフトを、色変換を行ってカラープリンタにより色を近似させて作成する印刷用ドラフト作成方法であって、前記特定の印刷機での印刷用の色情報と、前記カラープリンタの色再現情報とを比較し、両者の色再現範囲の違いにより近似できない色については、特定色に変換して前記カラープリンタにより出力させることを特徴とする。
【００１０】
同請求項２に係る印刷用ドラフト作成方法は、請求項１に記載の印刷用ドラフト作成方法において、前記特定色を複数の色から選択することを特徴とする。
【００１１】
同請求項３に係る印刷用ドラフト作成方法は、請求項１または２に記載の印刷用ドラフト作成方法において、前記近似できない色を前記特定色を用いて出力することと、前記近似できない色を該色に近い色を用いて出力することを切り替え得ることを特徴とする。
【００１２】
同請求項４に係る印刷用ドラフト作成方法は、ある特定の印刷機による出力のドラフトを、色変換を行ってカラープリンタにより色を近似させて作成する印刷用ドラフト作成方法であって、前記印刷機で用いる用紙の色と、前記カラープリンタで用いる用紙の色とを、予め用意しておいた前記印刷機の色特性を考慮した色変換テーブルを用いて前記紙の色の差分も含めた色変換を行うことを特徴とする。
【００１３】
同請求項５に係る印刷用ドラフト作成方法は、請求項４に記載の印刷用ドラフト作成方法において、前記色変換の結果により色再現情報を作成することを特徴とする。
【００１４】
同請求項６に係る印刷用ドラフト作成方法は、請求項５に記載の印刷用ドラフト作成方法において、前記色再現情報を比較し、色再現上の違いで近似のできない色については特定色に変換して出力することを特徴とする。
【００１５】
同請求項７に係る印刷用ドラフト作成方法は、請求項６に記載の印刷用ドラフト作成方法において、前記特定色を複数の色から選択することを特徴とする。
【００１６】
同請求項８に係る印刷用ドラフト作成方法は、請求項６または７に記載の印刷用ドラフト作成方法において、前記近似できない色を前記特定色を用いて出力することと、前記近似できない色を該色に近い色を用いて出力することを切り替え得ることを特徴とする。
【００１７】
同請求項９に係るカラープリンタは、ある特定の印刷機による出力のドラフトを、色変換を行って色を近似させて作成する印刷用ドラフト作成に用いるカラープリンタであって、前記特定の印刷機での印刷用の色情報と、該カラープリンタの色再現情報とを比較する手段と、両者の色再現範囲の違いにより近似できない色については、特定色に変換して出力する手段とを有することを特徴とする。
【００１８】
同請求項１０に係るカラープリンタは、請求項９に記載のカラープリンタにおいて、前記特定色を複数の色から選択する手段を有することを特徴とする。
【００１９】
同請求項１１に係るカラープリンタは、請求項９または１０に記載のカラープリンタにおいて、前記近似できない色を前記特定色を用いて出力することと、前記近似できない色を該色に近い色を用いて出力することを切り替え得る切り替え手段を有することを特徴とする。
【００２０】
同請求項１２に係るカラープリンタは、ある特定の印刷機による出力のドラフトを、色変換を行って色を近似させて作成する印刷用ドラフト作成に用いるカラープリンタであって、前記印刷機で用いる用紙の色と、該カラープリンタで用いる用紙の色とを、予め用意しておいた前記印刷機の色特性を考慮した色変換テーブルを用いて前記紙の色の差分も含めた色変換を行う手段を有することを特徴とする。
【００２１】
同請求項１３に係るカラープリンタは、請求項１２に記載のカラープリンタにおいて、前記色変換の結果により色再現情報を作成する手段を有することを特徴とする。
【００２２】
同請求項１４に係るカラープリンタは、請求項１３に記載のカラープリンタにおいて、前記色再現情報を比較し、色再現上の違いで近似のできない色については特定色に変換して出力する手段を有することを特徴とする。
【００２３】
同請求項１５に係るカラープリンタは、請求項１４に記載のカラープリンタにおいて、前記特定色を複数の色から選択する手段を有することを特徴とする。
【００２４】
同請求項１６に係るカラープリンタは、請求項１４または１５のカラープリンタにおいて、前記近似できない色を前記特定色を用いて出力することと、前記近似できない色を該色に近い色を用いて出力することを切り替える手段を有することを特徴とする。
【００２５】
同請求項１７に係る印刷用ドラフト作成用のプリントシステムは、ある特定の印刷機による出力のドラフトを、色変換を行ってカラープリンタにより色を近似させて作成する印刷用ドラフト作成用のプリントシステムであって、前記特定の印刷機での印刷用の色情報と、該カラープリンタの色再現情報とを比較する手段と、両者の色再現範囲の違いにより近似できない色については、特定色に変換して出力する手段とを有することを特徴とする。
【００２６】
同請求項１８に係る印刷用ドラフト作成用のプリントシステムは、請求項１７に記載の印刷用ドラフト作成用のプリントシステムにおいて、前記特定色を複数の色から選択する手段を有することを特徴とする。
【００２７】
同請求項１９に係る印刷用ドラフト作成用のプリントシステムは、請求項１７または１８に記載の印刷用ドラフト作成用のプリントシステムにおいて、前記近似できない色を前記特定色を用いて出力することと、前記近似できない色を該色に近い色を用いて出力することを切り替え得る切り替え手段を有することを特徴とする。
【００２８】
同請求項２０に係る印刷用ドラフト作成用のプリントシステムは、ある特定の印刷機による出力のドラフトを、色変換を行って色を近似させて作成する印刷用ドラフト作成に用いる印刷用ドラフト作成用のプリントシステムであって、前記印刷機で用いる用紙の色と、該カラープリンタで用いる用紙の色とを、予め用意しておいた前記印刷機の色特性を考慮した色変換テーブルを用いて前記紙の色の差分も含めた色変換を行う手段を有することを特徴とする。
【００２９】
同請求項２１に係る印刷用ドラフト作成用のプリントシステムは、請求項２０に記載の印刷用ドラフト作成用のプリントシステムにおいて、前記色変換の結果により色再現情報を作成する手段を有することを特徴とする。
【００３０】
同請求項２２に係る印刷用ドラフト作成用のプリントシステムは、請求項２１に記載の印刷用ドラフト作成用のプリントシステムにおいて、前記色再現情報を比較し、色再現上の違いで近似のできない色については特定色に変換して出力する手段を有することを特徴とする。
【００３１】
同請求項２３に係る印刷用ドラフト作成用のプリントシステムは、請求項２２に記載の印刷用ドラフト作成用のプリントシステムにおいて、前記特定色を複数の色から選択する手段を有することを特徴とする。
【００３２】
同請求項２４に係る印刷用ドラフト作成用のプリントシステムは、請求項２２または２３に記載の印刷用ドラフト作成用のプリントシステムにおいて、前記近似できない色を前記特定色を用いて出力することと、前記近似できない色を該色に近い色を用いて出力することを切り替える手段を有することを特徴とする。
【００３３】
同請求項２５に係る画像処理プログラムは、請求項１ないし８のいずれかに記載の印刷用ドラフト作成方法を実行する処理ステップからなることを特徴とする。
【００３４】
同請求項２６に係る記録媒体は、請求項２５に記載のプログラムを記憶してあり、コンピュータで読み取り可能なものである。
【発明の効果】
【００３５】
本発明は、色再現範囲の違いによって近似のできない色については、特定色に変換して出力することで、再現できない部分を容易に特定することができ、ドラフトとして見るべき場所を特定できるという効果がある。
【発明を実施するための最良の形態】
【００３６】
以下本発明を実施するための最良の形態を、図に示す実施例を参照して説明する。
【実施例１】
【００３７】
図１は本発明の一実施例とし得るカラーインクジェットプリンタを示す斜視図（Ａ）と断面図（Ｂ）である。もちろん印刷結果のドラフト作成用に用いることができるカラープリンタは図示のようなタイプのものだけではなく、種々のタイプのカラープリンタが用いられている。
【００３８】
図示のインクジェットプリンタは、装置筐体１を例えば合成樹脂材等で箱形に成形し、装置筐体１の内部を側面部間に張り渡した形態で設けた構造部材２によって上下２段に仕切り、構造部材２の下側に、給紙トレイ３から給紙する用紙の束Ｐを装着するための給紙口や給紙空間を形成し、給紙空間内に給紙ローラ４、ピックアップローラ５、搬送ローラ６等を配してある。
【００３９】
また構造材２の上部には、複数のインクカートリッジ７を搭載したインクヘッド８が設けてあり、構造材２の上側位置において用紙に文字、図形等をプリントできるようになっている。
【００４０】
装置筐体１の正面開口は給紙トレイ３で開閉可能にしてある。給紙トレイ３は、搭載する用紙の束Ｐの後端部を位置決めするため、中央部にエンドフェンス７を備えている。また給紙トレイ３の上側には排紙トレイ８が設けてある。図中９は操作部で、装置筐体１の正面に設けてあり、種々の動作設定等を行えるようにしてある。
【００４１】
上述のようなカラーインクジェットプリンタにより印刷機のドラフト印刷を行う場合、一般には図２に示すような色変換装置１００を用いる。この色変換装置１００は、ハードウェアにより構成しても、あるいはソフトウェアにより構成してもいずれでもよい。いずれの構成の場合でも、図１に示したようなカラーインクジェットプリンタが内蔵し、またはカラーインクジェットプリンタに対して印字情報を送るパーソナルコンピュータ等が演算装置あるいは演算手段として内蔵し、また情報の入力、カラーインクジェットプリンタに対する印字情報の生成、送信を単独で行える独立型の装置あるいはそれが内蔵する手段であってもいずれでもよい。したがって、図２に示す各種装置は、同じ機能を達成するためのハードウェア及び／またはソフトウェアにより達成可能な手段として認識しても良い。
【００４２】
この色変換装置１００は、カラーインクジェットプリンタの色特性を考慮した第１色変換テーブル記憶部１０２、印刷機の色特性を考慮した第２色変換テーブル記憶部１０３を有し、色演算装置１０１によって印刷機の色を近似するものであるが、さらにカラープリンタの色再現情報記憶部１０５を有し、色再現範囲比較装置１０４によってその範囲を比較判定し、印刷機では再現可能であるがカラープリンタでは再現不可能な色を判定するようになっている。また、カラープリンタによっては再現不可能である色と判定された場合に特定の色を指定するための特色指定装置２０１をも備えている。
【００４３】
図中２０２は、特色指定装置２０１に対して上述の指定色を入力するための指定色入力装置である。指定色入力装置２０２は、色変換装置１００が備えていても、または例えば図１のカラーインクジェットプリンタの操作部９等を代用あるいは兼用する等のように、外部の装置、手段としてもいずれでもよい。
【００４４】
図３は、上述した色再現情報記憶部１０５が有するカラープリンタの色再現情報、すなわちカラープリンタの色再現範囲の一例を示し、図４はそれを用いた色の判定方法例を示す。
【００４５】
図４により、本実施例のドラフト作成動作を説明する。まず色変換装置１００の色演算装置１０１に対して色の入力を行う（ステップ１）。この色の入力は、ある特定の印刷機による印刷用の色情報であり、種々公知の手法により得たものを用いればよいので具体的な説明は省略する。この入力された色の入力情報を、第１、第２色変換テーブル記憶部１０２、１０３が有する色変換テーブル、すなわち印刷機とカラーインクジェットプリンタとの色特性を考慮した変換情報を用いて印刷機での変換色（明度、色相、彩度）を算出する（ステップ２）。なお本明細書において「ある特定の印刷機」とは、出力のドラフトの作成対象とする印刷機を言う。
【００４６】
ついで、この算出した変換色をカラープリンタにおける色再現情報と比較する。この比較のための色再現情報は、色再現情報記憶部１０５から得て色再現比較装置１０４によってその再現範囲を比較判定する（ステップ３）。すなわち、同じ明度、色相の最大彩度情報を取得する。そして、ステップ３で得た彩度を印刷機での変換色の彩度と比較し、ステップ３で得た彩度が印刷機での変換色の彩度より小さくなければ、その色はカラープリンタで近似可能なものと判断し、一方、ステップ３で得た彩度が印刷機での変換色の彩度より小さければ、その色はカラープリンタでは近似することが物理的に不可能であると判断する（ステップ４）。
【００４７】
ステップ４においてカラープリンタで近似可能なものと判断した場合（ステップ５）は、その情報を色演算装置１０１から出力し、印刷機の全色をカラーインクジェットプリンタ等で近似する従来と同様のドラフト作成を行えるようにする。
【００４８】
一方、ステップ４においてカラープリンタで近似不可能と判断した場合（ステップ６）は、何らかの手段により自動的に指定色入力装置２０２からの入力値を得、または指定色入力装置２０２からの指定色の入力を行わせ、特定色指定装置２０１から色演算装置１０１へその指定色の情報を入力し、色演算装置１０１の演算結果を上書きし、その結果を出力させ、当該色以外の色については印刷機の全色をカラーインクジェットプリンタ等で近似し、当該色については特定色で印刷してドラフト作成を行えるようにする。もちろん入力装置２０２を設けることは本発明にとって必須ではない。
【００４９】
図５は、上述のようにして得るドラフトの一例を示す。この図はもちろん図示の都合上からグレースケールにして描いてあるが、図中矢印Ｘで示す部位が前記特定色により印刷した部分で、黒色で示してある。特定色は、印刷機での印刷またはその近似印刷とは明らかに異なる色とすることが好ましい。例えば図５の例のような単色の黒、あるいは赤等の色彩的に目立つ原色などとすればよい。また、ドラフト作成用の用紙に何も印刷せず、用紙の地色が残るようにしても良いが、その場合には印刷すべき画像に用紙の地の色を残すものが無いことが条件となる。すなわち、使用するカラープリンタで再現できない色については、印刷機において印刷すべき色とはまったく異なる色を用いてドラフトを作成することにより、見る者が明確にドラフトにおいては再現できない色が存在していることを認識できるようになる。
【実施例２】
【００５０】
図６は本発明の実施例２に係る色変換装置３００を示す図である。本実施例の色変換装置３００は、カラープリンタで用いる紙と、印刷機で用いる紙の白情報を入力する紙白入力装置３０１を有し、カラープリンタ、印刷機それぞれの色変換に係る第１、第２色変換テーブル記憶部１０２、１０３と、予め記憶してあって基本となる紙白情報記憶部３０５のデータを用いて、一時的な色変換テーブルを作成し、第３色変換テーブル記憶部３０３、第４色変換テーブル記憶部３０４に一時的にデータを格納する。図中３０２は色演算装置、４０１は色再現情報作成装置、７０１はスイッチ手段である。
【００５１】
図７により、本実施例の色変換テーブル作成動作を説明する。まずカラープリンタ側については、カラープリンタで使用する基本の紙の色情報を紙白情報記憶部３０５から取得し（ステップ１ａ）、カラープリンタで使用する紙の色情報を紙白入力装置３０１から取得し（ステップ２ａ）、基本の紙と使用する紙の色情報の差を算出する（ステップ３ａ）。
【００５２】
ついで、元の色変換テーブル、すなわちカラーインクジェットプリンタの色特性を考慮した第１色変換テーブル記憶部１０２に記憶してある色変換テーブルでの紙白からの距離に応じて、ステップ３ａで算出した差を用いて色変換テーブルを作成し、これを第３色変換テーブル記憶部３０３に記憶する（ステップ４ａ）。
【００５３】
一方、印刷機側については、印刷機で使用する基本の紙の色情報を紙白情報記憶部３０５から取得し（ステップ１ｂ）、印刷機で使用する紙の色情報を紙白入力装置３０１から取得し（ステップ２ｂ）、基本の紙と使用する紙の色情報の差を算出する（ステップ３ｂ）。
【００５４】
ついで、元の色変換テーブル、すなわち印刷機の色特性を考慮した第２色変換テーブル記憶部１０３に記憶してある色変換テーブルでの紙白からの距離に応じて、ステップ３ｂで算出した差を用いて色変換テーブルを作成し、これを第４色変換テーブル記憶部３０４に記憶する（ステップ４ｂ）。
【００５５】
そして作成し、第３色変換テーブル記憶部３０３に記憶した色変換テーブルの情報から、カラープリンタにおいて再現できる色情報を作成する。
【００５６】
作成手順を図８を参照して説明する。まず第３色変換テーブル記憶部３０３に記憶した色変換テーブルの情報を読み込み（ステップ１）、読み込んだデータを明度軸でソートし（ステップ２）、明度範囲を例えば１００〜９５等として区切り、それを同じ明度グループとする（ステップ３）。次に、同じ明度グループ内で、色相によるソートとグループ化（０°、−１０°等）を行う（ステップ４）。
【００５７】
そして、すべての明度、色相にわたるグループが存在するか否かを判断する（ステップ５）。すべての明度、色相にわたるグループが存在しなければ、予め、適宜のデータ補間によって存在しないグループのデータを作成しておく（ステップ６）。
【００５８】
最後に、同じ明度グループ、色相グループを１グループとし、その中で最大彩度をもつものを選択し、それをそのグループの色再現範囲とする（ステップ７）。すなわちカラープリンタの基本の紙を用いた場合の色再現範囲情報だけでなく、算出した指定された紙での色再現情報を用い、再現できる色とそれ以外を判定し、再現できない色に関しては特定色で出力する。
【００５９】
本実施例でも先に実施例と同様に、特定色を外部等からの入力によって指定することも可能であるが、本実施例では特定色指定装置２０１の機能を無効にするスイッチとしてスイッチ手段７０１を設け、カラープリンタと紙の組み合わせによって再現不可能な色であってもそのまま近似した色で出力を行うことを可能としてある。すなわちカラープリンタにより近似できない色についても近い色で再現するように切り替えることによって、ドラフトとして大体の画像の感じもつかむことを可能とすることができる。
【００６０】
本発明においては、以上説明してきたように、ある特定印刷機のドラフトとして色を近似する機能をもつカラープリンタにおいて、カラープリンタの色再現情報を比較し、色再現範囲の違いによって近似のできない色については、特定色に変換して出力することで、再現できない部分を特定し、ドラフトとして見るべき場所を特定する。また、用いる画像に応じて、はっきりと区別のつく色を指定して再現のできない部分を明確できる。
【００６１】
また本発明においては、以上説明してきたように、ある特定印刷機のドラフトとして色を近似する機能をもつカラープリンタにおいて、印刷機で用いる用紙の色とカラープリンタで用いる紙の色を入力し、元の色変換テーブルを用いて紙の色の差分も含めた色変換を行うことで、より忠実なドラフトを作成できる。このシステムにおいては、色変換の結果よりカラープリンタの指定用紙を用いた場合の色再現情報を作成でき、用紙を変更しても動的に色再現情報を作成できる。さらにこの発明においても、色再現情報を比較して色再現上の違いで近似のできない色については、特定色に変換して出力することで、再現できない色を明確とし、ドラフトの色としてみるべき場所を明確化でき、また特定色を画像に応じて変更して、はっきりと区別のつく色を用いて再現できない部分を明確にすることができる。
【００６２】
なお、上述した実施例の各部、各装置の機能をそれぞれプログラム化し、予めＲＯＭやＣＤ−ＲＯＭ等の記録媒体に書き込んでおき、コンピュータ等の処理装置にこの記録媒体を装着し、これらのプログラムをマイクロプロセッサ等で実行することによって、本発明を実施できる。この場合、記録媒体から読み出されたプログラム自体が上述した実施例を実現することになり、そのプログラム及びそのプログラムを記録した記録媒体も本発明を構成することになる。
【００６３】
記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）のいずれであってもよい。また、インターネット等の通信網を介して記憶装置に格納されたプログラムをサーバコンピュータから直接供給を受けるようにしてもよい。この場合、このサーバコンピュータの記憶装置も本発明の記録媒体に含まれる。
【００６４】
また、ロードしたプログラムを実行することにより上述した実施例の機能を実現するだけでなく、そのプログラムの指示に基づき、オペレーティングシステムあるいは他のアプリケーションプログラム等と共同して処理することによって上述した実施例の機能を実現する場合も含まれる。
【図面の簡単な説明】
【００６５】
【図１】カラーインクジェットプリンタを示す斜視図（Ａ）と断面図（Ｂ）である。
【図２】本発明の実施例１に係る色変換装置を示すブロック図である。
【図３】カラープリンタ色再現範囲の一例を示す図である。
【図４】本発明の実施例１におけるドラフト作成動作を示すフロー図である。
【図５】本発明の実施例１により作成するドラフトの一例を示す図である。
【図６】本発明の実施例２に係る色変換装置を示す図である。
【図７】本実施例の実施例２における色変換テーブル作成動作を示すフロー図である。
【図８】本実施例の実施例２における再現できる色情報を作成する手順を示すフロー図である。
【符号の説明】
【００６６】
１：インクジェットプリンタの装置筐体
２：構造部材
３：給紙トレイ
４：給紙ローラ
５：ピックアップローラ
６：搬送ローラ
７：インクカートリッジ
８：インクヘッド
９：操作部
１００：色変換装置
１０２：第１色変換テーブル記憶部
１０３：第２色変換テーブル記憶部
１０４：色再現範囲比較装置
１０５：色再現情報記憶部
２０１：特色指定装置
２０２：指定色入力装置
３００：色変換装置
３０１：紙白入力装置
３０２：色演算装置
３０３：第３色変換テーブル記憶部
３０４：第４色変換テーブル記憶部
３０５：紙白情報記憶部
４０１：色再現情報作成装置
７０１：スイッチ手段
Ｐ：用紙の束
【図１】
2006041730.tif 000003
【図２】
2006041730.tif 000004
【図３】
2006041730.tif 000005
【図４】
2006041730.tif 000006
【図５】
2006041730.tif 000007
【図６】
2006041730.tif 000008
【図７】
2006041730.tif 000009
【図８】
2006041730.tif 000010